(57)【要約】【課題】パソコン等のデスクワークが増えている現在、リラックスできない、肩こりで悩んでいる人が増えているといわれる。そこで原因に着目してみると、同じ姿勢を長時間強いられていることが大きい要員と考えられる。姿勢を変化させることでリラックスし肩こり及び無呼吸解消を可能にする商品が求められている。【解決手段】同じ姿勢が長時間続かないように、座っているときは前後左右、寝ているときは上下左右に動かす自重寝返り具を開発した。【選択図】図１
2006304814.tif 000002
【特許請求の範囲】
【請求項１】
身体を遥動する装置において、空気を通さない袋状の柔軟なカバーの中の分かれた部屋それぞれに、形状を復元するクッションを入れそのままでもマットとして使え、それぞれの部屋に空気を出し入れすることと身体の自重によってマットの上下左右の高さ又は前後左右の位置を変化させることで頭部又は身体の高さ又は位置及び向きを変化させ、緊張を緩和して血行不良、体のこり、無呼吸、いびきを解消し安眠を促進することを特徴とする身体遥動具。
【発明の詳細な説明】
【技術分野】
【０００１】
本発明は、頭部及び身体を動かすことで体の緊張を緩和させ、こり、無呼吸、いびきの解消と安眠を促進する装置に関するものである。
【背景技術】
【０００２】
従来は、その人にあわせて作る、高さ調節ができる、素材又は形状を変える等の枕及び寝具が多数考えられ商品化されているが、数種類使って見ると、使い初めはよさそうだった。
【０００３】
しかし、慣れてくると、どの商品も同じ姿勢が長時間続き以前の寝苦しさに戻ってしまった。
【特許文献１】特開２００２−６５４３３（Ｐ２００２−６５４３３Ａ）広報
【発明の開示】
【発明が解決しようとする課題】
【０００４】
解決しようとする問題点は、頭部及び身体が長時間同じ姿勢をさせない点である。
【課題を解決するための手段】
【０００５】
本発明は、同じ姿勢を長時間させない為に、頭部及び身体を上下左右又は前後左右に変化させることを最も主要な特徴とする。
【発明の効果】
【０００６】
本発明の身体遥動具は、大きさを変えて枕又は寝具として使用すれば高さを上下左右変化させることで姿勢を変化させ、緊張を緩和し血行不良、こり、無呼吸、いびき等の解消と安眠効果がある。
【０００７】
又、椅子等の背もたれにセットして頭部又は身体を預けると、姿勢が前後左右に変化させられデスクワーク時等にも緊張緩和の効果がある。
【発明を実施するための最良の形態】
【０００８】
従来携帯用として使われていた空気枕と同様なつくりで、完全に区切られた複数の部屋を持ち、それぞれの部屋に気体の出し入れ口を持つ柔軟なカバーと、それぞれの部屋の中に身体に良いといわれる低反発又はスポンジ等のクッションを従来の枕状になる程度入れ、そのままでも使えるようにし、空気供給排出装置から空気を供給排出する管をそれぞれの部屋の空気出し入れ口に繋ぎ、空気を出し入れすることと自重で、上下左右遥動するという身体遥動具を実現した。
【実施例１】
【０００９】
図１、図２、図３は本発明の１実施例の見取り図であって、１から４は図１、図２、図３同様である。本体は空気を通さず柔軟性のある袋状のカバー１が右部屋３と左部屋４に分かれて、それぞれに空気の出し入れ口右５、左６を有している。それぞれの部屋には、体を休めるのに良いといわれる低反発シート又はスポンジ等のクッション２が入って、そのままでも頭部又は身体を休められるようなマットである。
【００１０】
遥動させる装置は上下、左右、上下左右、上下左右同時、停止に切り替えられる動作切替スィッチ１４とタイマー、圧力センサーを内蔵した動作制御装置１２、空気を送り出す空気供給排出装置１１、空気の流れを切り替える方向制御弁右９、左１０、本体に空気を出し入れする管右７、左８、及び電源コード１３で構成される。
【００１１】
電源コードを電源につなぎ動作切替スィッチ１４を入れると動作制御装置１２が働き、空気供給排出装置１１が作動し供給される空気は、方向制御弁９、１０から管７、８を通ってカバー１に入り、頭部又は身体の自重で圧縮され下降したカバー１の上部が膨張して上昇し圧力センサーが設定圧に達すると空気供給排出装置１１を停止し、方向制御弁９、１０を閉にしてカバー１の上部の高さが維持され、開にして下降させる。左右ある部分は同時又は別々に制御され動作し、図２は左右同時圧縮下降時、図３は片側圧縮下降時の状態である。
【００１２】
動作制御装置１２に内蔵された圧力センサーが設定圧力の低下を感じるかタイマーの設定時間で動作を繰り返す。
【図面の簡単な説明】
【００１３】
【図１】身体遥動具の実施方法を示した説明図である。（実施例１）
【図２】身体遥動具の実施方法を示した説明図である。（実施例１）
【図３】身体遥動具の実施方法を示した説明図である。（実施例１）
【符号の説明】
【００１４】
１    カバー
２    クッション
３    右部屋
４    左部屋
５    右口
６    左口
７    右管
８    左管
９    右方向制御弁
１０  左方向制御弁
１１  空気供給排出装置
１２  動作制御装置（タイマー、圧力センサー内臓）
１３  電源コード
１４  動作切替スィッチ
【図１】
2006304814.tif 000003
【図２】
2006304814.tif 000004
【図３】
2006304814.tif 000005
【手続補正書】
【提出日】平成17年5月9日(2005.5.9)
【手続補正１】
【補正対象書類名】特許請求の範囲
【補正対象項目名】全文
【補正方法】変更
【補正の内容】
【特許請求の範囲】
【請求項１】
身体を遥動する装置において、空気を通さない袋状の柔軟なカバーの中の分かれたそれぞれの部屋に空気を出し入れすることと身体の自重によってマットの上下左右の高さ又は前後左右の位置を変化させることで、頭部又は身体の高さ又は位置及び向きを変化させ、緊張を緩和して血行不良、体のこり、無呼吸、いびきを解消し安眠を促進することを特徴とする身体遥動具。
【請求項２】
身体を遥動する装置において、空気を通さない袋状の柔軟なカバーの中の分かれた部屋それぞれにクッションを入れ、空気を入れなくても形状を復元することを特徴とするマット。  
【手続補正書】
【提出日】平成17年5月16日(2005.5.16)
【手続補正１】
【補正対象書類名】特許請求の範囲
【補正対象項目名】請求項１
【補正方法】変更
【補正の内容】
【請求項１】
頭部又は身体を遥動する装置において、空気を通さない袋状の柔軟なカバーが上下前後左右の複数の部屋に分かれており、それぞれの部屋に空気を出し入れすることと頭部又は身体の自重によってマットの上下前後左右の高さ又は上下前後左右の位置を変化させることで、頭部や身体の高さ又は位置及び向きを変化させ、血行不良、体のこり、無呼吸、いびき等を解消し、安眠及びデスクワークの緊張緩和等を促進することを特徴とする身体遥動具。
【手続補正書】
【提出日】平成17年5月18日(2005.5.18)
【手続補正１】
【補正対象書類名】特許請求の範囲
【補正対象項目名】請求項１
【補正方法】変更
【補正の内容】
【請求項１】
頭部又は身体を遥動する装置において、空気を通さない袋状の柔軟なカバーが上下前後左右の複数の部屋に分かれており、それぞれの部屋に空気供給排出及び動作制御装置で空気を出し入れすることと頭部又は身体の自重によってマットの上下前後左右の高さ又は上下前後左右の位置を変化させることで、頭部や身体の高さ又は位置及び向きを変化させ、血行不良、体のこり、無呼吸、いびき等を解消し、安眠及びデスクワークの緊張緩和等を促進することを特徴とする身体遥動具。
【手続補正書】
【提出日】平成17年6月15日(2005.6.15)
【手続補正１】
【補正対象書類名】特許請求の範囲
【補正対象項目名】請求項２
【補正方法】変更
【補正の内容】
【請求項２】
身体を遥動する装置において、空気を通さない袋状の柔軟なカバーの外をクッションで覆うか、又は、中の分かれた部屋それぞれにクッションを入れ、空気を入れなくても形状を復元することを特徴とするマット。
【手続補正書】
【提出日】平成17年6月28日(2005.6.28)
【手続補正１】
【補正対象書類名】特許請求の範囲
【補正対象項目名】請求項１
【補正方法】変更
【補正の内容】
【請求項１】
頭部又は身体を遥動する装置において、空気を通さない袋状の柔軟なカバーが上下前後左右の複数の部屋に分かれており、それぞれの部屋に空気供給排出及び動作制御装置で空気を出し入れすることと頭部又は身体の自重によってマットの上下前後左右の高さ又は上下前後左右の位置を変化させることで、頭部や身体の高さ又は位置及び向きを変化させ、血行不良、体のこり、無呼吸、いびき等を解消し、安眠及びデスクワークの緊張緩和等を促進することを特徴とする遥動枕
【手続補正３】
【補正対象書類名】明細書
【補正対象項目名】０００６
【補正方法】変更
【補正の内容】
【０００６】
本発明の遥動枕は、高さを上下左右変化させることで姿勢を変化させ、緊張を緩和し血行不良、こり、無呼吸、いびき等の解消と安眠効果がある。
【手続補正４】
【補正対象書類名】明細書
【補正対象項目名】０００８
【補正方法】変更
【補正の内容】
【０００８】
従来携帯用として使われていた空気枕と同様なつくりで、完全に区切られた複数の部屋を持ち、それぞれの部屋に気体の出し入れ口を持つ柔軟なカバーと、それぞれの部屋の中に低反発シート又はスポンジ等のクッションを従来の枕状になる程度入れ、そのままでも使えるようにし、空気供給排出装置から空気を供給排出する管をそれぞれの部屋の空気出し入れ口に繋ぎ、空気を出し入れすることと自重で、上下左右前後遥動するという遥動枕を実現した。
【手続補正５】
【補正対象書類名】明細書
【補正対象項目名】０００９
【補正方法】変更
【補正の内容】
【０００９】
図１、図２、図３は本発明の１実施例の見取り図であって、１から４は図１、図２、図３同様である。本体は空気を通さず柔軟性のある袋状のカバー１が右部屋３と左部屋４に分かれて、それぞれに空気の出し入れ口右５、左６を有している。それぞれの部屋には、低反発シート又はスポンジ等のクッション２が入って、そのままでも頭部又は身体を休められるようなマットである。
【手続補正６】
【補正対象書類名】明細書
【補正対象項目名】００１３
【補正方法】変更
【補正の内容】
【００１３】
【図１】遥動枕の実施方法を示した説明図である。（実施例１）
【図２】遥動枕の実施方法を示した説明図である。（実施例１）
【図３】遥動枕の実施方法を示した説明図である。（実施例１）
【手続補正書】
【提出日】平成17年7月5日(2005.7.5)
【手続補正１】
【補正対象書類名】特許請求の範囲
【補正対象項目名】請求項１
【補正方法】変更
【補正の内容】
【請求項１】
頭部又は身体を遥動する装置において、空気を通さない袋状の柔軟なカバーが上下前後左右の複数の部屋に分かれており、それぞれの部屋は空気供給排出及び方向制御弁、動作制御装置を介して繋がっている。各部屋に空気を供給し各部屋に設置した圧力センサーの設定圧力又はカバーの強度で従来の枕の形状にしておく。頭部又は身体の偏荷重を圧力センサーが感知し荷重の大きい部分の部屋から頭部又は身体の自重で空気を設定時間又は設定圧力に達するまで排出する。設定時間又は設定圧力に達したら、対称的な又は隣の部屋から空気を排出した部屋に移動するよう方向制御弁を切替え、設定時間又は設定圧力に達するまで自重及び補助として空気供給排出装置で空気を移動させる。マットの上下前後左右の高さ又は上下前後左右の位置を変化させることで、頭部や身体の高さ又は位置及び向きを変化させ、血行不良、体のこり、無呼吸、いびき等を解消し、安眠及びデスクワークの緊張緩和等を促進することを特徴とする自重寝返り具。
【手続補正３】
【補正対象書類名】明細書
【補正対象項目名】０００６
【補正方法】変更
【補正の内容】
【０００６】
本発明の自重寝返り具は、位置を上下前後左右変化させることで姿勢を変化させ、緊張を緩和し血行不良、こり、無呼吸等の解消効果がある。
【手続補正４】
【補正対象書類名】明細書
【補正対象項目名】０００８
【補正方法】変更
【補正の内容】
【０００８】
従来携帯用として使われていた空気枕と同様なつくりで、完全に区切られた複数の部屋を持ち、それぞれの部屋に気体の出し入れ口を持つ柔軟なカバーと、それぞれの部屋の中に低反発シート又はスポンジ等のクッションを従来の背当てになる程度入れ、そのままでも使えるようにし、空気を供給排出する管をそれぞれの部屋の空気出し入れ口に繋ぎ方向制御弁を切り替えることで頭部又は背中の圧力及び補助として空気供給排出装置から空気を出し入れすることで、上下左右前後遥動するという自重寝返り具を実現した。
【手続補正５】
【補正対象書類名】明細書
【補正対象項目名】０００９
【補正方法】変更
【補正の内容】
【０００９】
図１、図２、図３は本発明の１実施例の見取り図であって、１から４は図１、図２、図３同様である。本体は空気を通さず柔軟性のある袋状のカバー１が右部屋３と左部屋４に分かれて、それぞれに空気の出し入れ口右５、左６を有している。それぞれの部屋には、低反発シート又はスポンジ等のクッション２が入って、そのままでも枕又は背当として利用できるマットである。
【手続補正６】
【補正対象書類名】明細書
【補正対象項目名】００１３
【補正方法】変更
【補正の内容】
【００１３】
【図１】自重寝返り具の実施方法を示した説明図である。（実施例１）
【図２】自重寝返り具の実施方法を示した説明図である。（実施例１）
【図３】自重寝返り具の実施方法を示した説明図である。（実施例１）